(57)【特許請求の範囲】
【請求項１】
洗浄媒体を気流により飛翔させ、前記洗浄媒体を洗浄対象物に当てて洗浄対象物の洗浄を行う乾式クリーニング筐体において、
前記洗浄媒体を飛翔させる内部空間と、
前記洗浄対象物に当接して前記洗浄媒体を前記洗浄対象物に衝突させる開口部と、
外部からの空気を前記内部空間へ通す通気路と、
前記通気路を介して前記内部空間に導入された空気を吸引することにより前記内部空間に旋回気流を生じさせる吸気口と、
前記洗浄対象物から除去された除去物を前記吸気口側へ通過させる多孔手段と、
前記旋回気流が旋回する旋回流路の断面積を変化させ、前記旋回気流を任意に低減ないし停止させる旋回気流調整手段と、
を有していることを特徴とする乾式クリーニング筐体。
【請求項２】
請求項１に記載の乾式クリーニング筐体において、
前記旋回気流調整手段が、前記旋回気流を停止させたときに筐体との間に前記洗浄媒体を溜める貯留空間を形成する構成を有し、前記貯留空間が形成される位置は、前記洗浄媒体が該貯留空間に重力で保持される位置であることを特徴とする乾式クリーニング筐体。
【請求項３】
請求項２に記載の乾式クリーニング筐体において、
前記旋回気流調整手段が、前記通気路を構成する面に沿ってスライド可能に設けられていることを特徴とする乾式クリーニング筐体。
【請求項４】
請求項１に記載の乾式クリーニング筐体において、
前記旋回気流調整手段が、前記旋回流路の壁面に一端部を支持されて回動可能に設けられた構成を有し、洗浄時と非洗浄時との負圧差により動作することを特徴とする乾式クリーニング筐体。
【請求項５】
請求項１に記載の乾式クリーニング筐体において、
前記旋回気流調整手段が、前記開口部から流入する空気量を、前記通気路から流入する空気量と同等にする構成を有していることを特徴とする乾式クリーニング筐体。
【請求項６】
請求項５に記載の乾式クリーニング筐体において、
前記旋回気流調整手段が、前記開口部の開口面積を変化させる可動部材を有していることを特徴とする乾式クリーニング筐体。
【請求項７】
請求項６に記載の乾式クリーニング筐体において、
前記開口部から流入する空気量が前記通気路から流入する空気量と同等となるように前記可動部材を動作させる駆動手段を有していることを特徴とする乾式クリーニング筐体。
【請求項８】
請求項７に記載の乾式クリーニング筐体において、
前記開口部が前記洗浄対象物に対して非接触または一定距離離間した状態を検知するリリース検知手段を有し、該リリース検知手段によりリリース時と判断されたときに前記駆動手段により前記可動部材を動作させることを特徴とする乾式クリーニング筐体。
【請求項９】
請求項１〜８のいずれか１つに記載の乾式クリーニング筐体と、前記吸気口に接続される吸引手段と、前記洗浄媒体とから構成されることを特徴とする乾式クリーニング装置。
【発明の詳細な説明】
【技術分野】
【０００１】
本発明は、飛翔する洗浄媒体を洗浄対象物（以下、「被洗浄物」ともいう）に接触（衝突の概念を含む）させて洗浄する乾式クリーニング装置に関し、詳しくは、洗浄対象物の任意の部位に当てて洗浄することが可能で特にハンディタイプとして好適な乾式クリーニング装置及び該乾式クリーニング装置に用いられる乾式クリーニング筐体に関する。
本発明は、例えば、フローはんだ槽工程で用いられる、ディップパレットもしくはキャリアパレットと呼称されるマスク治具に付着したフラックスを除去するのに用いられ、特に洗浄対象物の側面や開口部の周辺など、狭い領域に固着したフラックスを除去することに適している。
【背景技術】
【０００２】
近年、プリント基板製造におけるフローはんだ槽によるはんだ付け工程において、はんだ付け処理する領域以外をマスクする治具が多く用いられている。このようなマスク治具（ディップパレット、キャリアパレットと呼ばれる）は、繰り返し使用されるうちに、表面にフラックスが堆積して固着しマスクの精度を下げるために、定期的に洗浄する必要があった。
一般的には、このような洗浄は溶剤に浸漬して行うため、大量の溶剤を消費しており、コストアップを避けられず、作業者への負荷も極めて大きい。
浸漬せずに装置内で溶剤を洗浄対象物に噴射する方式も知られているが、溶剤を大量に使用するという点に変わりはない。
【０００３】
この問題を解消する技術として、飛翔する洗浄媒体を洗浄対象物に接触させて洗浄する乾式の洗浄装置が知られている。
特許文献１、２には、円筒形の容器の側面に開口部を設け、容器内で圧縮気流の旋回空気流により円周方向に洗浄媒体を飛翔させ、開口部に接した洗浄対象物に洗浄媒体を衝突させる洗浄方法が開示されている。
しかしながらこの方式では、圧縮気流で旋回空気流を形成しているため、開口部から洗浄対象物が離された際に、洗浄媒体が容器外部に漏出するという問題を避けられない。
この問題を解消すべく、特許文献１では開口部に網部材を設けて漏出を防いでいるが、洗浄媒体が洗浄対象物に衝突する際のエネルギーが低下したり、網部材に洗浄媒体が挟まって洗浄能力が低下するなどの新たな問題を抱えている。
特許文献２では、開口部を塞ぐ開閉蓋を設けて漏出を防ぐようにしているが、開口部から洗浄対象物が離された際に開閉蓋を素早く移動させて塞ぐ必要があり、作業者に余計な注意力や労力を強いるとともに、機構的に複雑で操作が難しく、故障しやすいという問題があった。
【０００４】
このような状況に鑑み、本出願人は、筐体に吸気手段を接続し、開口部が洗浄対象物で塞がれた状態で通気路（インレット）を介して筐体外部から内部へ流入する気流により発生する旋回空気流によって薄片状の洗浄媒体を飛翔させるとともに、筐体内に気体や粉塵の通過を許容し且つ洗浄媒体の通過を不可とする、例えば網目状の多孔手段を設けて旋回空気流形成領域で洗浄媒体が留まるようにし、旋回空気流によって洗浄媒体の循環飛翔が継続する乾式クリーニング装置を提案した（特願２０１０−１７５６８７号；以下、「先願技術」という）。
この乾式クリーニング装置によれば、開口部から洗浄対象物が離されても、通気路が大気圧と同レベルとなって旋回空気流が消失するとともに、吸気による負圧で開口部から外気が筐体内に多く流入するため、筐体内の洗浄媒体は多孔手段に吸着された状態となって筐体内に留まり、開口部からは漏れない。
【発明の概要】
【発明が解決しようとする課題】
【０００５】
旋回空気流を内部に発生させるクリーニング筐体において、上記のように、開口部と洗浄対象物とが離間しても、開口部から流入する空気量が多いため、洗浄媒体は多孔手段に吸着されて筐体内部に留まる。
しかしながら、実際の洗浄工程においては、開口部から洗浄対象物を離すリリース時や非洗浄時に洗浄媒体が開口部やインレットから漏れ出す場合がある。
これはリリース時や非洗浄時に、開口部から外気が筐体内に多く流入しても、筐体内に旋回空気流や逆旋回空気流が発生してしまい、洗浄媒体が多孔手段に吸着される力よりも飛翔する力が上回るためである。
この漏れ現象は、洗浄媒体の形状にも左右されやすく、大面積よりも粒形状に近い小さな洗浄媒体に顕著に現れる。
【０００６】
本発明は、このような現状に鑑みてなされたもので、リリース時や非洗浄時における洗浄媒体の漏出を、洗浄媒体の形状に拘らず高精度に防止できる乾式クリーニング筐体の提供を、その主な目的とする。
【課題を解決するための手段】
【０００７】
上記目的を達成するために、本発明は、洗浄媒体を気流により飛翔させ、前記洗浄媒体を洗浄対象物に当てて洗浄対象物の洗浄を行う乾式クリーニング筐体において、前記洗浄媒体を飛翔させる内部空間と、前記洗浄対象物に当接して前記洗浄媒体を前記洗浄対象物に衝突させる開口部と、外部からの空気を前記内部空間へ通す通気路と、前記通気路を介して前記内部空間に導入された空気を吸引することにより前記内部空間に旋回気流を生じさせる吸気口と、前記洗浄対象物から除去された除去物を前記吸気口側へ通過させる多孔手段と、前記旋回気流が旋回する旋回流路の断面積を変化させ、前記旋回気流を任意に低減ないし停止させる旋回気流調整手段と、を有していることを特徴とする。
【０００８】
本明細書における用語の定義は以下の通りである。
本発明における「筐体」とは、内側に旋回空気流を発生させやすい形状の空間を備えた容器状の構造物を示す。旋回空気流を発生させやすい形状とは、気流が筐体の内壁を沿って流れて循環する、連続した内壁を持つ形状であり、より望ましくは回転体形状の内壁または内部空間を備える形状である。
「通気路」とは、気流を一定の方向に流れやすくする手段のことであり、滑らかな内面を備える管形状であることが一般的である。しかしながら、たとえば滑らかな面を持つ、板状の流路制御板などを用いても、気体を面に沿った方向に流れやすくする、整流効果が発現するため、このような形態も含めて通気路とする。
【０００９】
また、気流が直線的に流れる形状が一般的であるが、流路抵抗をあまり生じない緩やかなカーブを備えていても整流効果を得ることができる。ただし、特に記載されない場合、通気路の方向とは空気流入口において噴出する気流の方向のことを意味する。
管形状を備え、一方の端部が筐体内壁の空気流入口に接続し、もう一方の端部が筐体外の大気に開放されている空気取り入れ口である通気路を、本発明では「インレット」と呼称する。インレットは一般的に流体抵抗が低く、滑らかな内面を持ち、管の断面は円形、長方形、スリット形状などが用いられる。
【００１０】
本発明において、「旋回気流」とは、空気流入口からの流入気流により加速された気流が、筐体の内壁に沿って方向を変えつつ流れ、空気流入口の位置に、循環して戻り、流入気流と合流する気流である。気流を形成する流体が空気の場合には「旋回空気流」と同義である。一般的には、内壁が連続している閉空間内で、内壁の接線方向に向けて気流を流入させることにより発生する。
【発明の効果】
【００１１】
本発明によれば、洗浄対象物と筐体とを離間させるリリース時や非洗浄時における筐体内から外部への洗浄媒体の漏れを確実に防止できる。
【図面の簡単な説明】
【００１２】
【図１】本発明の第１の実施形態に係る乾式クリーニング筐体の概要縦断面図で、（ａ）は洗浄時の状態を示す図、（ｂ）は旋回空気流を停止させた状態を示す図である。
【図２】同乾式クリーニング筐体の透視的側面図である。
【図３】同乾式クリーニング筐体の透視的斜視図である。
【図４】同乾式クリーニング筐体の分解斜視図である。
【図５】第２の実施形態に係る乾式クリーニング筐体の概要縦断面図で、（ａ）は洗浄時の状態を示す図、（ｂ）はリリース時の状態を示す図である。
【図６】フラップの回動を容易化するための構成を示す図である。
【図７】第３の実施形態に係る乾式クリーニング筐体の概要縦断面図である。
【図８】第４の実施形態に係る乾式クリーニング筐体の概要縦断面図で、（ａ）は洗浄時の状態を示す図、（ｂ）はリリース時の状態を示す図である。
【図９】第５の実施形態に係る乾式クリーニング筐体の概要縦断面図で、（ａ）は洗浄時の状態を示す図、（ｂ）はリリース時の状態を示す図である。
【図１０】本発明の乾式クリーニング装置の基本となる構成を示す概要断面図である。
【図１１】同装置の洗浄動作を示す図である。
【図１２】同乾式クリーニング装置の使用状態を示す斜視図である。
【発明を実施するための形態】
【００１３】
以下、本発明の実施形態を図を参照して説明する。
まず、図１０乃至図１２に基づいて、本発明の基礎となった上記先願技術に係るハンディタイプの乾式クリーニング装置の基本構成及び機能について説明する。
図１０に基づいて、該ハンディタイプの乾式クリーニング装置２の構成の概要を説明する。図１０（ａ）はＡ−Ａ線での横断面図、（ｂ）はＢ−Ｂ線での縦断面図である。
乾式クリーニング装置２は、内部に洗浄媒体５の飛翔空間を有する乾式クリーニング筐体（以下、単に「筐体」という）４と、筐体４内を負圧化する吸気手段６とを備えている。
筐体４は、筐体本体部としての円筒形状の上部筐体４Ａと、逆円錐形状の下部筐体４Ｂとから一体として構成されている。ここでの上部、下部は図面上の便宜的呼称であって、実機上の上下とは必ずしも関係はない。
【００１４】
下部筐体４Ｂは、その円錐頂部に吸気口８を一体に備えており、吸引ダクトとして機能する。
吸気手段６は、吸気口８に一端を接続されたフレキシブルな吸引ホース１０と、該吸引ホース１０の他端に接続された吸引装置１２とを有している。吸引装置１２としては、家庭用掃除機、真空モータや真空ポンプ、あるいは流体の圧送により間接的に低圧化ないし負圧化を生じさせる装置などを適宜用いることができる。なお、部材の上面、底面等の上下の位置関係は図面上の基準にすぎない。
【００１５】
上部筐体４Ａの底面部は、下部筐体４Ｂの上端部を結合する嵌合凹部４Ａ−１となっており、上部筐体４Ａと下部筐体４Ｂは分離可能となっている。上部筐体４Ａの上面４Ａ−２は密閉されている。
上部筐体４Ａの底面部における下部筐体４Ｂとの境界部分には、多孔手段としての多孔性の分離板１４が設けられている。分離板１４は、パンチングメタルのような穴が空いた板状の部材である。分離板１４は、吸引されたときの洗浄媒体５の下部筐体４Ｂ側への移動を阻止するものである。図１０（ａ）では分離板１４の表示を一部省略している。なお、洗浄媒体５は分かり易くするためにその大きさを誇張表示している。
多孔手段としては、洗浄媒体５を通さずに空気及び粉塵（洗浄対象物から除去された除去物）を通過させる大きさの細孔を多く備える多孔形状であればよく、スリット板や網などを用いてもよく、材質も滑らかな面を備えていれば、樹脂や金属などを自由に選択して良い。
多孔手段は旋回空気流の旋回軸と直交する面として配置されている。これにより、多孔手段に沿う方向に気流が流れることにより、洗浄媒体５の滞留を防ぐ効果がある。
旋回空気流の減衰を抑えるために、筐体内面は段差、凹凸がなく平滑であることが望ましい。
【００１６】
多孔手段は、旋回空気流に沿った面に配置されることにより、表面に吸着した洗浄媒体を再飛翔させることができる。
筐体４の材質は特に限定されないが、異物の付着や洗浄媒体との摩擦による消耗を防ぐために、例えばアルミ二ウムやステンレスなどの金属製が好適であるが、樹脂製のものを用いることもできる。
【００１７】
上部筐体４Ａの内部中心には、上部筐体４Ａの円筒軸を共通の軸とするように、円筒状の流路制限部材１６が筐体の一部として設けられ、流路制限部材１６の下端は分離板１４に固定されている。
流路制限部材１６は旋回空気流の流路断面積を絞って流速を向上させる目的で設けられている。流路制限部材１６により上部筐体４Ａ内には滑らかな壁面を有するリング状の旋回空気流移動空間（洗浄媒体の飛翔空間）が形成されている。
上部筐体４Ａの形状によっては、流路制限部材１６の中心軸と上部筐体４Ａの中心軸を必ずしも共通にする必要はなく、リング状の空間が確保できていれば偏芯していても良い。
【００１８】
上部筐体４Ａの側面の一部には、旋回空気流で飛翔する洗浄媒体５を洗浄対象物に接触ないし衝突させるための開口部１８が形成されている。
上部筐体４Ａは直径に対して高さが極めて小さい円筒形状であり、その高さを形成する側面の一部に開口部１８を設けることにより、筐体４全体としては、図１０（ｂ）に示すように、開口部１８以外の外周部分が洗浄対象物２０から大きく逃げる（離れる）レイアウトとなり、洗浄対象物２０に対する局所的当接、換言すればピンポイントクリーニングの自由度が高められている。
開口部１８は、上部筐体４Ａの側面を円筒軸に平行な平断面により切断した形状であり、円筒軸と直交する方向から見て矩形形状をなしている。
【００１９】
上部筐体４Ａの側面には空気流入口２２が形成されており、空気流入口２２には、旋回空気流発生手段で且つ通気路としてのインレット２４が上部筐体４Ａの外方から接続されて上部筐体４Ａに一体に固定されている。
インレット２４は分離板１４に略平行に設定されており、その通気方向は、上部筐体４Ａの半径方向に対して傾き、その通気路中心の延長線が開口部１８に達するように位置している。
インレット２４は、上部筐体４Ａの高さ方向に延びる幅を有している。インレット２４は上部筐体４Ａの高さよりも径又は幅が小さいものを１つ配置してもよく、単体のインレットを高さ方向に複数配置する構成としてもよい。
図１０に示すように、開口部１８が洗浄対象物２０に当接して塞がれると、筐体４内が閉空間としてなり、インレット２４から外気が高速で流入し、この高速気流は洗浄媒体５を開口部１８へ向けて加速させるとともに旋回気流としての旋回空気流３０を生成する。
閉空間が形成された時に生じる旋回空気流は、分離板１４上に吸着した洗浄媒体を吹き払い、再飛翔させる効果を有する。
【００２０】
開口部１８は、開放されたときに、空気流入口２２における内圧を、大気圧もしくはその近傍にするために十分な大きさの面積を備える。また、空気流入口２２も、開口部１８の開放時に大気圧もしくはその近傍になりやすい位置に配置される。
このような構成を備えることにより、乾式クリーニング装置２を洗浄対象物に当てていない間は、空気流入口２２が大気圧に近づくことによって、外部との差圧が低下し、その結果流入する気流が劇的に低減する。一方、開口部１８から流入する気流は多くなるため、洗浄媒体５が筐体４内から漏れ出ることを防ぐことができる。
また、開口部１８が開放されている状態では、閉塞されている場合に比べて流入する気流の総量が２〜３倍になるため、とくに薄片状の洗浄媒体では多孔手段上に吸着されるため、再飛翔せず筐体の外に漏れることがない。これを開口部開放時における洗浄媒体吸着効果という。
【００２１】
洗浄媒体５は、薄片状の洗浄片の集合であるが、ここでは薄片状の洗浄片単体としての意味でも用いている。
薄片状の洗浄媒体とは面積が１ｍｍ２以上２００ｍｍ２以下の薄片である。また、洗浄媒体の材質はポリカーボネイト、ポリエチレンテレフタラート、アクリル、セルロース樹脂などの耐久性のある素材からなるフィルムであり、厚みは０．０２ｍｍ以上１．０ｍｍ以下である。
但し、洗浄対象物によっては洗浄媒体の厚みやサイズや材質を変えることが効果的な場合もあり、これらの洗浄媒体を使用する場合も本発明の範囲に含まれるため、前記洗浄媒体条件にはとらわれないものとする。
洗浄媒体の材質に関しては、樹脂だけにとどまらず、紙、布などの薄片や、あるいは、雲母などの鉱物、セラミックやガラス、金属箔であっても、薄く軽量で飛翔しやすい形状にすることで使用することができる。
【００２２】
上部筐体４Ａのリング状の内部空間２６は、旋回空気流によって洗浄媒体５を飛翔させて開口部１８に対向する洗浄対象物２０に接触させる機能を担う空間である。
流路制限部材１６の内部空間３４は、旋回空気流が作用しない空間である。
【００２３】
以上のように構成される乾式クリーニング装置２による洗浄動作（以下、クリーニング動作という）を、図１１を参照して説明する。なお、図１１では、部材の厚み等を省略し、分かり易くするために静空間としての内部空間３４をハッチングで表示している。
図１１（ｂ）は、開口部１８を洗浄対象物２０から離して開口部１８を開放し吸気を行っている状態を、図１１（ａ）は、開口部１８を洗浄対象物２０に当てて閉塞した状態を示している。
クリーニング動作に先立って、洗浄媒体５を筐体４内に供給する。筐体４内に供給された洗浄媒体５は、図１１（ｂ）下図に示すように、分離板１４に吸い付けられて筐体４内に保持される。
筐体４内は吸気により負圧状態となっているので、筐体外部の空気がインレット２４を通して筐体４内に流入するが、このときのインレット２４内の流れは流速・流量ともに小さいので、筐体４内に発生する旋回空気流３０は洗浄媒体５を飛翔させる強さには至らない。
【００２４】
筐体４内に洗浄媒体５が供給・保持されたら、図１１（ａ）に示すように、開口部１８を洗浄対象物２０の表面のクリーニングすべき部位に当てて閉塞状態にする。
開口部１８が塞がれると、開口部１８からの吸気が止まるので、筐体４内の負圧は一気に増大し、インレット２４を通じて吸い込まれる空気量・流速ともに増大し、インレット２４内で整流され、インレット出口（空気流入口２２）から筐体４内に高速空気流となって吹き出す。
吹き出した空気流は、分離板１４上に保持されている洗浄媒体５を開口部１８に対向する洗浄対象物２０の表面に向けて飛翔させる。
上記空気流は、旋回空気流３０となって、筐体４の内壁に沿って円環状に流れつつ、一部は分離板１４の穴を通って吸気手段６により吸気される。
このように筐体４内を円環状に流れた旋回空気流３０がインレット２４の出口部に戻ると、インレット２４から入り込む空気流が旋回空気流３０に合流しつつ加速する。このようにして筐体４内に安定した旋回空気流３０が形成される。
【００２５】
洗浄媒体５は、この旋回空気流により筐体４内で旋回し、洗浄対象物２０の表面に繰り返し衝突する。この衝突による衝撃で、洗浄対象物２０の表面から汚れが微小粒状あるいは粉状となって分離する。
分離した汚れは、分離板１４の穴を通って吸気手段６により筐体４の外部へ排出される。
筐体４内に形成される旋回空気流３０は、その旋回軸が、分離板１４の表面に直交しており、旋回空気流３０は分離板１４の表面に平行方向の気流となる。
このため、旋回空気流３０は分離板表面に吸い着けられた洗浄媒体５に、横方向から吹き付けて洗浄媒体５と分離板１４の間に入り込み、分離板１４に吸い付けられている洗浄媒体５を分離板１４から引き剥がして再度飛翔させる効果が生じる。
また、開口部１８が塞がれて上部筐体４Ａ内の負圧が増大して、下部筐体４Ｂ内の負圧に近くなるため、洗浄媒体５を分離板１４の表面に吸い付ける力も低下して、洗浄媒体５の飛翔がより容易になる効果が生じる。
旋回空気流３０は、一定の方向に気流が加速されるため高速の気流が生成しやすく、洗浄媒体５の高速飛翔運動も容易となる。高速で旋回移動する洗浄媒体５は、分離板１４に吸い付けられにくく、洗浄媒体５に付着した汚れが、遠心力により洗浄媒体５から分離され易い。
【００２６】
図１２に上述した乾式クリーニング装置２によるクリーニングの実際的な例を示す。
洗浄対象物は前述したフローはんだ槽工程で用いられるディップパレットであり、符号１００で示す。
ディップパレット１００には、マスク開口部１０１、１０２、１０３が開口しており、これらマスク開口部の穴周辺にフラックスＦＬが堆積・固化している。この堆積・固化したフラックスＦＬが除去すべき汚れである。
図１２に示すように、下部筐体４Ｂの根元部（吸気口８部位）を手ＨＤで握り、吸気状態で、筐体４の開口部１８を被クリーニング部位に押し当てる。
開口部１８が被クリーニング部位に押し当てられる以前は、筐体４内は吸気され、洗浄媒体５は分離板１４に吸い付けられているので、開口部１８は下方を向いているものの、筐体４内から洗浄媒体５が外部へ漏れることは無い。
勿論、開口部１８が被クリーニング部位に押し当てられた以後は、筐体内が気密状態となり、洗浄媒体の漏れ出しはない。
【００２７】
開口部１８を被クリーニング部位に押し当てると、インレット２４による流入気流が急増し、筐体４内に強い旋回空気流３０を発生させ、分離板１４に吸い付けられた洗浄媒体５を飛翔させ、ディップパレット１００の被クリーニング部位に付着固化したフラックスＦＬに衝突させてフラックスＦＬを除去する。
クリーニング作業者は、上述の如く下部筐体４Ｂの根元を手ＨＤに持ち、ディップパレット１００に対して移動させて、被クリーニング部位を順次移動させ、付着・固化したフラックスＦＬを全て除去することができる。
図１２の状態では、ディップパレット１００のマスク開口部１０１の周辺部がクリーニングされ、マスク開口部１０２、１０３の周辺部がクリーニング途上である。
被クリーニング部位に対して開口部を移動させる時に被クリーニング部位から開口部１８が離されても、前述の洗浄媒体吸着効果により、洗浄媒体５が筐体内から漏れ出さないため、洗浄媒体数が維持され、洗浄媒体量の減少によるクリーニング性能の低下は生じない。
【００２８】
洗浄媒体５は、繰り返し使用される間にクリーニング部位に対する衝突による衝撃により次第に破壊され、クリーニング部位のディップパレット１００から除去したフラックス（汚れ）と共に、吸引装置１２に吸引回収されるため、乾式クリーニング装置を長時間使用していると、筐体内に保持された洗浄媒体の量が減少する。
このような場合は、新しい洗浄媒体群を筐体４内に補給する。
【００２９】
図１乃至図５に基づいて本発明の第１の実施形態を説明する。なお、上記基本構成と同一部分は適宜同一符号で示す。また、洗浄動作及び洗浄媒体の飛翔原理は上記基本構成と同様であり、乾式クリーニング装置としての用い方も同様であるので、乾式クリーニング装置としての全体構成は省略する。
本実施形態に係る乾式クリーニング筐体４０は、旋回軸方向の両側から吸引して上記基本構成をさらにコンパクト化した構成としている。
図２乃至図４に示すように、乾式クリーニング筐体４０は、筐体本体４２と、筐体本体４２の上部に一体に形成された吸気口８と、筐体本体４２の旋回軸方向両側に分離板４４を挟んで配置された旋回軸方向の側面としての吸気カバー４６Ａ、４６Ｂと、外側面としてのフロントカバー４８と、筐体本体４２の内部に配置され、旋回軸を規定する円筒状の流路制限部材５２と、筐体本体４２の上部でフロントカバー４８側に形成されたインレット５０と、インレット５０の領域に設けられた旋回気流調整手段としての旋回気流調整プレート５６等から構成されている。乾式クリーニング装置の構成では、吸気口８に吸引ホース１０が接続される。
【００３０】
筐体本体４２には、吸気口８に連通する円弧状の吸気路４２ａが旋回軸方向に貫通して形成されている。筐体本体４２の上面先端部４２ｂはインレット５０の一部を構成し、空気抵抗を低減するように滑らかな湾曲面状に形成されている。筐体本体４２の下面先端部４２ｃは、開口部１８の一辺を規定している。
各分離板４４は、中心部に流路制限部材５２を支持する支持穴４４ａを有しているとともに、吸気路４２ａに連通する円弧状の開口４４ｂを有している。
吸気カバー４６Ａ、４６Ｂは、開口４４ｂを介して吸気路４２ａに連通する空隙部４６ａを有している。
吸気カバー４６Ｂには、流路制限部材５２に挿入される円筒状の支持凸部４６ｂが形成されており、吸気カバー４６Ａには支持凸部４６ｂの挿通孔４６ｃが形成されている。
吸気カバー４６Ａ、４６Ｂと分離板４４は筐体本体４２にネジで一体に固定され、フロントカバー４８は吸気カバー４６Ａ、４６Ｂにネジで固定されている。
流路制限部材５２は、分離板４４と同様に多孔構造を有している。
【００３１】
図４に示すように、旋回気流調整プレート５６は、インレット５０を構成する上面先端部４２ｂの湾曲面に沿った円弧状の流路閉塞部５６ａと、流路閉塞部５６ａを移動させるための摘み部５６ｂとから構成されている。摘み部５６ｂには引き上げ操作を容易にするための指の通し孔５６ｂ−１が形成されている。
各分離板４４の内面には、流路閉塞部５６ａを案内する円弧状のガイド溝４４ｃが形成されている。
旋回気流調整プレート５６の材質は、少なくとも流路閉塞部５６ａが流路内部の吸引圧力や洗浄媒体の衝突に耐えられるものであれば特に限定されない。通常は軽量化のために樹脂板や金属の薄板を用いる。ただし、洗浄媒体を挟み込むと流路を完全に塞ぎきれないため、筐体や流路制限部材と接触する部分は変形の大きいゴム部材などで被覆するのが良い（以下の他の実施形態において同じ）。
【００３２】
図１（ａ）は、洗浄時の状態を示している。なお、図１では、吸気口８や、分離板４４の多孔構造、ガイド溝４４ｃ等は省略している。
例えば洗浄が終了して洗浄対象物２０から開口部１８を離す場合には、リリース動作に先立って、図１（ｂ）に示すように、旋回気流調整プレート５６の摘み部５６ｂを持って下方に押し込む。これによって旋回流路は流路閉塞部５６ａによって塞がれる。
旋回流路が塞がれると、旋回空気流３０は完全に停止する。洗浄媒体５は旋回空気流３０による飛翔エネルギーの慣性により、破線で示す貯留空間５８に集まって滞留する。貯留空間５８は、旋回気流調整プレート５６の流路閉塞部５６ａと流路制限部材５２との間に形成される、洗浄媒体捕集ポケットとも言うべき空間である。
本実施形態における貯留空間５８は、筐体本体４２の内部と流路制限部材５２とで区画される内部空間（旋回流路）の上部において、旋回軸中心Ｐを通る垂線Ｓよりも旋回方向下流側に位置しており、このため洗浄媒体５は重力によって貯留空間５８に留まる。
この状態で、洗浄対象物２０から開口部１８を離す。開口部やインレットから筐体内の分離板への吸引圧力が発生しているため、洗浄媒体は筐体内に吸着され開口部やインレットから飛散することがない。
また多孔質の流路制限部材を用いた場合、中心部からの吸引が加わるため、洗浄媒体は流路制限部材と分離板の双方へ吸着し落下したり飛散することがない。
このように、リリース時や非洗浄時に旋回気流調整プレート５６を閉じることで、完全に洗浄媒体の漏れを防ぐことができる。
本実施形態では、重力によって洗浄媒体５を貯留空間５８に保持できる構成としているので、筐体を逆さまにしないかぎり、吸引作用がなくても洗浄媒体５を筐体内に保持できる。
【００３３】
洗浄による除去物や洗浄媒体５の破片は分離板４４の孔を通過して吸引手段側に回収される。したがって、貯留空間５８に溜まった洗浄媒体５は、再使用可能な洗浄媒体である。
洗浄を開始又は再開する場合には、吸引ＯＮの状態で開口部１８又はインレット５０から洗浄媒体５を筐体内に吸引投入し、旋回気流調整プレート５６を引き上げて旋回流路を開く。
これにより、旋回空気流３０が発生し、洗浄が開始される。
洗浄対象物２０に開口部１８を当てて旋回気流調整プレート５６を引き上げて旋回空気流３０を発生させ、インレット５０から洗浄媒体５を投入してもよい。
あるいは、吸引ＯＦＦの状態で洗浄対象物２０に開口部１８を当て、旋回気流調整プレート５６を引き上げてインレット５０から洗浄媒体５を投入し、その後吸引ＯＮとして旋回空気流３０を発生させるなど、種々の方法を採用することができる。
【００３４】
本実施形態では、旋回気流調整プレート５６を手動で操作する構成としたが、一軸動作が可能な駆動手段で開閉するようにしてもよい。駆動手段としては、小型化のために空気圧や電気駆動のシリンダやソレノイドが望ましい。
旋回気流調整プレート５６の配置位置は、旋回流路を塞ぐことができる位置であれば特に限定されないが、本実施形態のようにインレットを構成する面を利用して配置する構成とすれば、他の部材との干渉や密閉性を損なうことがなく理想的である。
【００３５】
旋回気流調整プレート５６の有無と、リリース時の洗浄媒体の漏れ率との関係における実験結果を表１に示す。
【００３６】
【表１】
0005919786.tif 000002
【００３７】
リリース時や非洗浄時の洗浄媒体の漏れは、洗浄媒体の形状に左右されやすく、厚みが0.1mm以下では、旋回流調整手段がない場合でも洗浄媒体の漏れはごくわずかであるが、厚みが0.1mm以上では、洗浄媒体の漏れが多くなる。
これに対して、旋回気流調整プレート５６がある場合、どの洗浄媒体でも洗浄媒体の漏れを完全に防ぐことができた。
【００３８】
本実施形態では、旋回流路を完全に塞いで旋回空気流３０を停止させる構成としたが、本発明はこれに限定される趣旨ではない。本発明の趣旨は、リリース時や非洗浄時に必要のない旋回空気流や逆旋回空気流が発生することを抑制して洗浄媒体が開口部１８やインレット５０から漏れることを防止するというものである。
したがって、旋回空気流３０を完全に停止させずに、漏れを防止できるレベルに低減ないし減衰させることも含まれる。
この観点から、旋回気流調整プレート５６で旋回流路の断面積を狭くする操作でもよい。
また、旋回気流調整プレート５６の流路閉塞部５６ａを多孔性部材としてもよい。この場合には、孔の大きさは逆旋回空気流が生じない程度に設定される。
【００３９】
なお、本実施形態では、図１（ｂ）に示すように、開口部１８は、旋回空気流３０の径方向における旋回軸中心Ｐを通る垂線Ｓ上からインレット５０と対向する側に水平面上で位置を図中左側へずらして配置されている。さらに具体的に説明すると、インレット５０から流入する外部空気の進行方向と、開口部１８が洗浄対象物に接する面とのなす角度（インレット角度）が略９０°となっている。
インレット５０は、外部空気の流入側が大きく開口し、開口部１８側へ向って徐々に狭くなるように形成されている。すなわち、開口部１８側へ向って断面積を狭くして流入気流の速度を増加させる構成を有している。
また、フロントカバー４８の下端は開口部１８の一辺を規定しており、開口部１８と隣接している。
開口部１８の大きさは、洗浄対象物の形状や、リリース時や非洗浄時に吸気による負圧で開口部から外気が筐体内に流入できるよう適宜決定される。
【００４０】
開口部１８の位置をインレット側に偏心した位置に配置したことにより、インレット５０と開口部１８との間の距離が最短距離となる。
これにより、旋回空気流３０で旋回飛翔する洗浄媒体５は、インレット５０から流入した外部空気による高速気流で垂直方向に加速されてそのまま洗浄対象物２０に衝突する。衝突した後の洗浄媒体５は、旋回空気流３０に乗り、再びインレット５０の高速気流の領域に達し、この洗浄動作が繰り返される。
洗浄媒体５は、インレット５０から流入する高速気流のエネルギーで飛翔し、減速する間もなく洗浄対象物へ衝突するため、衝突エネルギー効率が高く、洗浄効率が良い。
洗浄能力はインレット角度が９０°のときが最も高い。このため、インレット部で加速された洗浄媒体の衝突エネルギーが分力化されることなく、洗浄効率が良い。
換言すれば、インレット５０から流入した高速気流のエネルギーが旋回空気流と混ざって減衰する度合いが低く、ほとんどが洗浄媒体５の衝突エネルギーとして効率的に使用されるからである。
【００４１】
図５及び図６に基づいて第２の実施形態を説明する。なお、上記実施形態と同一部分は同一符号で示し、特に必要がない限り既にした構成上及び機能上の説明は省略して要部のみ説明する（以下の他の実施形態において同じ）。
本実施形態における旋回気流調整手段は、旋回流路の壁面を構成するフロントカバー４８の内面に一端部をヒンジ構造で支持されて上下方向に回動自在に設けられたフラップ６０から構成されている。ヒンジ部はフロントカバー４８の厚み内に設けられている。
フラップ６０は圧力が作用しない状態では、図５（ａ）に示すように、フロントカバー４８の内面に沿って自重で垂れ下がっている。
洗浄対象物２０から開口部１８が離されると、図５（ｂ）に示すように、開口部１８から外気が流入するが、この流入気流による圧力及び流路制限部材５２を介した吸引圧力でフラップ６０は持ち上げられて上方に回動し、換言すれば流路制限部材５２方向へ倒れ、自由端が流路制限部材５２に当接し、旋回流路を塞ぐ。これにより、旋回空気流３０は停止する。
【００４２】
リリース時や非洗浄時には、インレット部に加えて開口部から外気が流れ込み、筐体内の旋回流路の圧力は高まらず、旋回空気流が弱められた状態となる。この状態では、流路制限部材５２への吸引圧力が、旋回空気流による圧力と比べて相対的に上回り、フラップ６０が流路制限部材５２へと引き付けられる。これにより、旋回流路が閉じられ、旋回空気流は完全に停止し、完全に洗浄媒体の漏れを防ぐことができる。
洗浄媒体５は、上記実施形態と同様に、フラップ６０と流路制限部材５２との間に形成される貯留空間に溜められる。
洗浄時には、洗浄対象物によって開口部が塞がり、インレット部からのみ外気が流れ込み、筐体内の旋回流路の圧力は高まり、旋回気流が発生する。この状態では、流路制限部材への吸引圧力よりも、旋回空気流による圧力が相対的に上回り、フラップ６０が旋回流路の壁面へと押し付けられる。これにより、旋回流路が開かれ、旋回空気流が発生し、洗浄が開始される。
本実施形態では、フラップ６０が洗浄時と非洗浄時との負圧差により自動で開閉するので、作業者の注意不足や忘れによって旋回気流調整手段が操作されないことに基づく洗浄媒体の漏れを確実に防止できる。
【００４３】
リリース時や非洗浄時に開口部１８から流入する気流により、図６（ａ）に示すように、フラップ６０が壁面に押さえ付けられて回動しない虞がある。
この懸念を解消する一例として、図６（ｂ）に示すように、フラップ６０が垂れ下がった状態の自由端近傍に、フラップ６０の自由端を起すための気流流入凹部４８ａを形成すればよい。
【００４４】
図７に第３の実施形態を示す。
第１の実施形態ではインレット５０の領域に旋回気流調整手段を設けて旋回流路の断面積を強制的に変化させる構成を例示したが、本実施形態は旋回気流調整手段の配置箇所の他例である。
図７に示すように、本実施形態に係る旋回気流調整手段で可動部材としての遮蔽板６２は、フロントカバー４８を貫通して略水平方向に移動可能に設けられている。
リリースする前に、作業者が遮蔽板６２を矢印方向に押し込み、遮蔽板６２の先端を流路制限部材５２に当接させる。これにより、旋回流路が閉じられ、旋回空気流は完全に停止し、完全に洗浄媒体の漏れを防ぐことができる。
第１の実施形態と同様に、一軸動作が可能な駆動手段で開閉する電動方式としてもよい。
【００４５】
図８に第４の実施形態を示す。
上記各実施形態では、旋回気流調整手段が旋回流路の断面積を変化させて旋回空気流を低減ないし停止させる構成を有するものであったが、本実施形態では、開口部１８から流入する空気量を調整することにより、インレット５０から流入する空気量とのバランスをとって旋回空気流のエネルギーを低減ないし停止させることを特徴とする。
すなわち、開口部１８から流入する気流とインレット５０から流入する気流とが打ち消しあうようにして、いずれかが勝ることによる旋回空気流の維持又は発生を抑制しようとするものである。
【００４６】
筐体本体４２の開口部１８側底面には、開口部１８の開口面積を変化させるための旋回気流調整手段で可動部材としての遮蔽板６４が、図中左右方向に密接状態でスライド可能に組み込まれている。
洗浄終了後洗浄対象物２０から開口部１８を離す前に、図示しないレバーで遮蔽板６４をスライドさせて、開口部断面積がインレット部の断面積と同等となるまで閉じると、インレット５０からの外気流入量と開口部１８からの外気流入量とが等しくなるため、双方が打ち消しあって旋回空気流は完全に停止する。
分離板４４からの吸引があるために、開口部やインレットから筐体内の分離板への吸引圧力が発生し、洗浄媒体は開口部やインレットから外部へ飛散しない。また多孔質の流路制限部材５２を用いた場合、中心部からの吸引が加わるため、洗浄媒体は流路制限部材と分離板の双方へ吸着され、落下したり飛散することがない。
そのため、リリース時や非洗浄時には、図８（ｂ）に示すように、遮蔽板６４を閉じることで、完全に洗浄媒体の漏れを防ぐことができる。洗浄時には、図８（ａ）に示すように、遮蔽板を開くことで、旋回気流が発生し、洗浄が開始される。
【００４７】
遮蔽板６４を完全に閉じてしまうと、洗浄時と同じ状態となってしまい、遮蔽板へ洗浄媒体が衝突を繰り返してしまい洗浄媒体の消耗を促進してしまう。また、遮蔽板６４へ洗浄媒体が衝突した後に、インレット側へ跳ね返る洗浄媒体も出てきてしまい、やはり完全には洗浄媒体の漏れを防ぐことができない。
このため、遮蔽板６４のスライド操作において、旋回空気流が完全に停止する位置で遮蔽板６４を止めるための図示しないストッパが設けられている。これにより、作業者の勘に頼ることなく画一的に遮蔽板６４を所定位置に設定できる。
【００４８】
初期設計により、インレット部と開口部の断面積を等しくしておくことも有効であるが、基本的に旋回流速を高めるためにインレット部の断面積は小さく設定される。このため結果的に開口部が狭くなってしまい、洗浄効率が落ちる。その欠点を許容できる場合に限り有効である。
本実施形態では手動による開閉構成としたが、第１の実施形態と同様に、一軸動作が可能な駆動手段で開閉する電動方式としてもよい。
【００４９】
図９に第５の実施形態を示す。
図８に示した構成での電動方式は、あくまでも作業者がスイッチをオンすることによって動作するものであるが、本実施形態では完全に自動化したことを特徴とする。
図９（ａ）に示すように、筐体本体４２の開口部１８側底面、具体的には開口部１８に近接したフロントカバー４８の下端には、開口部１８が洗浄対象物２０に対して非接触または一定距離離間した状態を検知するリリース検知手段としての接触センサ６６が設けられている。
接触センサ６６としては、光学センサやマイクロスイッチ等を採用することができる。
制御手段７０は、接触センサ６６を介して筐体と洗浄対象物とが接触または一定距離に存在しているかを監視している。筐体と洗浄対象物とが接触または一定距離にある場合には、洗浄時と判断し、図９（ａ）に示すように、駆動手段６８を制御して開口部１８を開く。
逆に非接触または一定距離以上となった場合は、リリース時または非洗浄時と判断し、図９（ｂ）に示すように、駆動手段６８を制御して開口部１８を所定の断面積となるように塞ぐ。
本実施形態では、遮蔽板６４が自動的に開閉するので、第２の実施形態と同様に、作業者の注意不足や忘れによって旋回気流調整手段が操作されないことに基づく洗浄媒体の漏れを確実に防止できる。
【符号の説明】
【００５０】
２  乾式クリーニング装置
５  洗浄媒体
８  吸気口
１２  吸引手段
１８  開口部
２０  洗浄対象物
４０  乾式クリーニング筐体
４４  多孔手段としての分離板
５０  通気路
５６  旋回気流調整手段としての旋回気流調整プレート
５８  貯留空間
６０  旋回気流調整手段としてのフラップ
６２  旋回気流調整手段としての遮蔽板
６４  旋回気流調整手段としての遮蔽板
６６  リリース検知手段としての接触センサ
【先行技術文献】
【特許文献】
【００５１】
【特許文献１】特開平４−８３５６７号公報
【特許文献２】特開昭６０−１８８１２３号公報
【図１】
0005919786.tif 000003
【図２】
0005919786.tif 000004
【図３】
0005919786.tif 000005
【図４】
0005919786.tif 000006
【図５】
0005919786.tif 000007
【図６】
0005919786.tif 000008
【図７】
0005919786.tif 000009
【図８】
0005919786.tif 000010
【図９】
0005919786.tif 000011
【図１０】
0005919786.tif 000012
【図１１】
0005919786.tif 000013
【図１２】
0005919786.tif 000014